(57)【要約】【課題】デマンドレスポンス制御を実行するか否かの判定を、使用者に煩わしい思いをさせることなく行うことのできる電力制御装置を提供する。【解決手段】電力制御装置１００は、建物ＨＭにおける電力消費量を減少又は増加させるために外部から送信される信号、である外部要求信号を受信する受信部１１０と、デマンドレスポンス制御を実行する動作制御部１２０と、デマンドレスポンス制御を実行するか否かを判定する判定部１４０と、電力消費機器の動作を変化させるために使用者が行った操作の内容、を取得する操作取得部１３０と、を備える。判定部１４０は、操作取得部１３０によって取得された操作の内容に基づいて、デマンドレスポンス制御を実行するか否かを判定する。【選択図】図１
2019126230.tif 000002
【特許請求の範囲】
【請求項１】
電力制御装置（１００）であって、
建物（ＨＭ）における電力消費量を減少又は増加させるために外部（３０）から送信される信号、である外部要求信号を受信する受信部（１１０）と、
前記建物に設けられた電力消費機器（１１，１２，１３，１４）の動作を、前記外部要求信号に応じるように変化させる制御、であるデマンドレスポンス制御を実行する動作制御部（１２０）と、
前記デマンドレスポンス制御を実行するか否かを判定する判定部（１４０）と、
前記電力消費機器の動作を変化させるために使用者が行った操作の内容、を取得する操作取得部（１３０）と、を備え、
前記判定部は、前記操作取得部によって取得された操作の内容に基づいて、デマンドレスポンス制御を実行するか否かを判定する電力制御装置。
【請求項２】
前記外部要求信号に応じた場合における電力消費量の変化の傾向と、
前記操作取得部によって取得された操作に応じた場合における電力消費量の変化の傾向と、が互いに相反するものであった場合には、
前記判定部は、前記デマンドレスポンス制御を実行しないと判定する、請求項１に記載の電力制御装置。
【請求項３】
前記デマンドレスポンス制御の開始時刻を使用者に対して予告する予告部（１５０）、を更に備える、請求項２に記載の電力制御装置。
【請求項４】
前記開始時刻よりも前のタイミングで、前記電力消費機器の動作を変化させるための操作が使用者により行われた場合には、
前記判定部は前記デマンドレスポンス制御を実行すると判定する、請求項３に記載の電力制御装置。
【請求項５】
前記予告部による予告が行われた後であり、且つ、前記開始時刻よりも前のタイミングで、前記電力消費機器の動作を変化させるための操作が使用者により行われた場合には、
前記動作制御部は、
前記使用者による操作が行われる前における前記電力消費機器の動作状態、からの変化が、前記外部要求信号に応じた変化となるように、前記デマンドレスポンス制御を実行する、請求項４に記載の電力制御装置。
【請求項６】
前記デマンドレスポンス制御の実行中において、前記デマンドレスポンス制御を実行しないとの判定が前記判定部によってなされた場合には、
前記動作制御部は前記デマンドレスポンス制御を中断する、請求項２に記載の電力制御装置。
【発明の詳細な説明】
【技術分野】
【０００１】
本開示は電力制御装置に関する。
【背景技術】
【０００２】
ＨＥＭＳ（Ｈｏｍｅ Ｅｎｅｒｇｙ Ｍａｎａｇｅｍｅｎｔ Ｓｙｓｔｅｍ）と称される電力制御装置の普及が始まっている。電力制御装置は、例えば、建物に設けられた空調装置等の電力消費機器の動作を制御することにより、当該建物における電力消費量を調整するものである。
【０００３】
近年では、所謂デマンドレスポンス制御を行うことのできる電力制御装置の普及も始まっている。「デマンドレスポンス制御」とは、外部からの要求信号に応じて建物の電力消費量を調整する制御である。デマンドレスポンス制御が実行されると、建物の使用者は、例えば送電事業者等からインセンティブ（報酬）を得ることができる。
【０００４】
下記特許文献１に記載された電力制御装置では、上記の要求信号に応じてエネルギー消費の抑制を優先する制御を行うか、又は、要求信号に応じることなく電力消費機器の動作を優先するかの選択肢を使用者に提示し、いずれかを選択する操作を使用者に行わせることとしている。使用者は、前者を選択した場合において得られるインセンティブと、後者を選択した場合において得られる快適性と、を予め比較検討した上で、電力制御装置にデマンドレスポンス制御を実行させるか否かを選択することができる。
【先行技術文献】
【特許文献】
【０００５】
【特許文献１】特許第５９６７２６５号公報
【発明の概要】
【発明が解決しようとする課題】
【０００６】
しかしながら、デマンドレスポンス制御の実行を使用者が望むか否かを確認するために、使用者への情報提示や選択肢の提示が都度行われる場合には、使用者は、画面表示を確認して操作を行わなければデマンドレスポンス制御をキャンセルすることができない。使用者は、このような確認や操作を煩わしいと感じてしまう可能性がある。
【０００７】
本開示は、デマンドレスポンス制御を実行するか否かの判定を、使用者に煩わしい思いをさせることなく行うことのできる電力制御装置、を提供することを目的とする。
【課題を解決するための手段】
【０００８】
本開示に係る電力制御装置（１００）は、建物（ＨＭ）における電力消費量を減少又は増加させるために外部（３０）から送信される信号、である外部要求信号を受信する受信部（１１０）と、建物に設けられた電力消費機器（１１，１２，１３，１４）の動作を、外部要求信号に応じるように変化させる制御、であるデマンドレスポンス制御を実行する動作制御部（１２０）と、デマンドレスポンス制御を実行するか否かを判定する判定部（１４０）と、電力消費機器の動作を変化させるために使用者が行った操作の内容、を取得する操作取得部（１３０）と、を備える。判定部は、操作取得部によって取得された操作の内容に基づいて、デマンドレスポンス制御を実行するか否かを判定する。
【０００９】
このような構成の電力制御装置では、電力消費機器の動作を変化させるために使用者が行った操作の内容に基づいて、判定部が、デマンドレスポンス制御を実行するか否かを判定する。「電力消費機器の動作を変化させるために使用者が行った操作」とは、例えば、空調装置の設定温度を変更するために、使用者が手元のリモコンに対して行った操作である。
【００１０】
例えば、電力消費量を減少させるような外部要求信号を受信しているときに、冷房の設定温度を低下させるような操作が使用者によってなされた場合には、使用者は、デマンドレスポンス制御の実行を望んでおらず、快適性を優先したいものと推測することができる。そこで、このような場合には、判定部はデマンドレスポンス制御を実行しないと判定し、以降において動作制御部はデマンドレスポンス制御を実行しない。
【００１１】
この電力制御装置では、空調の設定温度を変化させるための操作等、使用者が通常行う操作に基づいて、デマンドレスポンス制御を実行するか否かの判断が自動的に行われるので、画面表示の確認や追加の操作等を使用者に対して行わせる必要が無い。このため、使用者に煩わしい思いをさせてしまうことが無い。
【発明の効果】
【００１２】
本開示によれば、デマンドレスポンス制御を実行するか否かの判定を、使用者に煩わしい思いをさせることなく行うことのできる電力制御装置、が提供される。
【図面の簡単な説明】
【００１３】
【図１】図１は、本実施形態に係る電力制御装置が設けられた建物の全体構成を示す図である。
【図２】図２は、電力制御装置によって実行される処理の流れを示すフローチャートである。
【図３】図３は、電力制御装置によって実行される処理の流れを示すフローチャートである。
【図４】図４は、電力制御装置によって実行される処理の流れを示すフローチャートである。
【発明を実施するための形態】
【００１４】
以下、添付図面を参照しながら本実施形態について説明する。説明の理解を容易にするため、各図面において同一の構成要素に対しては可能な限り同一の符号を付して、重複する説明は省略する。
【００１５】
本実施形態に係る電力制御装置１００は、建物ＨＭに設置される装置であって、建物ＨＭにおける電力の消費を制御するための装置である。電力制御装置１００の説明に先立ち、建物ＨＭの構成について図１を参照しながら説明する。
【００１６】
建物ＨＭには、電力メータ１０と、空調装置１１と、照明装置１２と、給湯装置１３と、蓄電装置１４と、が設けられている。
【００１７】
電力メータ１０は、電力系統ＰＳから建物ＨＭに供給され消費される電力量を測定するための装置である。電力メータ１０は通信機能を有しており、測定された電力量を後述の電力制御装置１００へと送信する。当該電力量は、電力制御装置１００を介して後述の外部サーバー３０へも送信される。電力メータ１０が、測定された電力量を外部サーバー３０に直接送信するような態様であってもよい。電力系統ＰＳから建物ＨＭに供給された電力は、電力メータ１０を介して各電力消費機器（空調装置１１等）へと供給される。
【００１８】
空調装置１１は、建物ＨＭに設けられた電力消費機器の一つであって、建物ＨＭ内の空調を行うための装置である。空調装置１１は冷房又は暖房を行うことにより、建物ＨＭ内の気温を予め設定された設定温度に一致させる。当該設定温度は、基本的には使用者が不図示のリモコンを操作することによって設定する。
【００１９】
空調装置１１は通信機能を有しており、その動作状況（例えば設定温度等）を電力制御装置１００へと送信する。また、設定温度を変更する等の操作が使用者によって行われた場合には、その旨を電力制御装置１００へと送信する。
【００２０】
更に、電力制御装置１００から空調装置１１へと送信される制御信号に基づいて、設定温度の変更等が自動的に行われる場合もある。これにより、空調装置１１における電力消費量が電力制御装置１００によって調整される。
【００２１】
具体的には、電力制御装置１００は、空調装置１１による冷房の設定温度を上げる、空調装置１１による暖房の設定温度を下げる、空調装置１１による空調を停止する、等を行うことにより、空調装置１１における電力消費量を下げることができる。また、空調装置１１による冷房の設定温度を下げる、空調装置１１による暖房の設定温度を上げる、空調装置１１による空調を開始する、等を行うことにより、空調装置１１における電力消費量を上げることができる。
【００２２】
照明装置１２は、建物ＨＭに設けられた電力消費機器の一つであって、建物ＨＭ内の照明を行うための装置である。照明装置１２は、その照度を変化させることができる。当該照度は、基本的には使用者が不図示のリモコンを操作することによって変更する。
【００２３】
照明装置１２は通信機能を有しており、その動作状況（例えば照度等）を電力制御装置１００へと送信する。また、照度を変更する等の操作が使用者によって行われた場合には、その旨を電力制御装置１００へと送信する。
【００２４】
更に、電力制御装置１００から照明装置１２へと送信される制御信号に基づいて、照度の変更等が自動的に行われる場合もある。これにより、照明装置１２における電力消費量が電力制御装置１００によって調整される。
【００２５】
具体的には、電力制御装置１００は、照明装置１２の照度を下げる、照明装置１２をオンからオフとする、等を行うことにより、照明装置１２における電力消費量を下げることができる。また、照明装置１２の照度を上げる、照明装置１２をオフからオンとする、等を行うことにより、照明装置１２における電力消費量を上げることができる。
【００２６】
給湯装置１３は、建物ＨＭに設けられた電力消費機器の一つであって、電力により湯を生成して建物ＨＭの浴室等に供給する装置である。給湯装置１３は、使用者によって不図示のリモコンが操作された際に、湯の生成（水の加熱）を開始する。
【００２７】
給湯装置１３は通信機能を有しており、その動作状況を電力制御装置１００へと送信する。また、電力制御装置１００から給湯装置１３へと送信される制御信号に基づいて、湯の生成等が自動的に行われる場合もある。これにより、給湯装置１３における電力消費量が電力制御装置１００によって調整される。
【００２８】
具体的には、電力制御装置１００は、給湯装置１３による湯の生成を停止することにより、給湯装置１３における電力消費量を下げることができる。また、給湯装置１３による湯の生成を開始することにより、給湯装置１３における電力消費量を上げることができる。
【００２９】
蓄電装置１４は、建物ＨＭに設けられた電力消費機器の一つであって、電力系統ＰＳから供給される電力を蓄えておき、当該電力を必要に応じて他の電力消費機器に供給する装置である。蓄電装置１４における電力の充放電は、基本的には電力制御装置１００によって自動的に制御される。また、使用者によって不図示のリモコンが操作された際に、当該操作に基づいて充放電を行うことも可能である。
【００３０】
蓄電装置１４は通信機能を有しており、その動作状況を電力制御装置１００へと送信する。また、電力制御装置１００から蓄電装置１４へと送信される制御信号に基づいて、上記のように蓄電装置１４における電力の充放電が制御される。これにより、建物ＨＭの全体における電力消費量が電力制御装置１００によって調整される。
【００３１】
具体的には、電力制御装置１００は、蓄電装置１４からの放電を開始する、蓄電装置１４への充電を停止する、等を行うことにより、建物ＨＭにおける電力消費量を下げることができる。また、蓄電装置１４への充電を開始する、蓄電装置１４からの放電を停止する、等を行うことにより、建物ＨＭにおける電力消費量を上げることができる。
【００３２】
尚、本実施形態では、建物ＨＭに空調装置１１、照明装置１２、給湯装置１３、及び蓄電装置１４が電力消費機器として設けられているのであるが、建物ＨＭに設けられる電力省機器の種類や数は、本実施形態と異なっていてもよい。
【００３３】
引き続き図１を参照しながら、本実施形態に係る電力制御装置１００の構成について説明する。電力制御装置１００は、ＣＰＵ、ＲＯＭ、ＲＡＭ等を有するコンピュータシステムであり、建物ＨＭにおける電力の消費を制御するための所謂ＨＥＭＳ（Ｈｏｍｅ Ｅｎｅｒｇｙ Ｍａｎａｇｅｍｅｎｔ Ｓｙｓｔｅｍ）として構成されている。電力制御装置１００は、建物ＨＭにおける電力消費量を平準化するための運転計画を作成し、当該運転計画に沿って各電力消費機器の制御を行う。
【００３４】
これにより、例えば、電気料金の安い夜間の時間帯において、給湯装置１３による湯の生成や蓄電装置１４への充電等を行う。また、電気料金の高い昼間の時間帯において蓄電装置１４からの放電を行うことにより、当該時間帯における電力系統ＰＳからの電力供給を抑制する。
【００３５】
また、電力制御装置１００は、外部サーバー３０から送信される外部要求信号に応じて、建物ＨＭにおける電力消費量を減少又は増加させる制御を行うこともできる。当該制御のことを、以下では「デマンドレスポンス制御」とも称する。外部要求信号は、建物ＨＭにおける電力消費量を減少又は増加させるために、外部サーバー３０から建物ＨＭの電力制御装置１００へと送信される信号である。
【００３６】
上記の外部サーバー３０とは、建物ＨＭを含む複数の建物に電力供給を行う送電事業者が管理するサーバーである。ここでいう「送電事業者」とは、発電及び送電の全体を行う電力会社であってもよく、送配電のみを行う事業者やアグリゲーター等の仲介業者であってもよい。
【００３７】
例えば、建物ＨＭの地域における電力需要が大きくなる時間帯に、電力消費量の抑制を求めるような外部要求信号が、外部サーバー３０から電力制御装置１００へと予め送信される。電力制御装置１００は、外部要求信号に示される電力消費量の削減量に応じて、電力消費機器における電力消費量が上記時間帯には小さくなるように動作計画を変更し、当該電力消費機器の動作を制御する。
【００３８】
このように、デマンドレスポンス制御は、建物ＨＭに設けられた電力消費機器の動作を、外部要求信号に応じるように変化させる制御、ということができる。外部要求信号に応じて電力制御装置１００がデマンドレスポンス制御を行い、建物ＨＭにおける電力消費量が要求通りに削減された場合には、送電事業者から建物ＨＭの使用者へとインセンティブ（報酬）が支払われる。
【００３９】
尚、建物ＨＭの地域における電力需要が小さくなり過ぎて、当該地域における発電量が過剰となった場合には、電力系統ＰＳから供給される電力の周波数に乱れが生じることもある。このような事態を防止するために、建物ＨＭにおける電力消費量を増加させるような外部要求信号が、外部サーバー３０から電力制御装置１００へと送信される場合もある。この場合は、電力制御装置１００は、外部要求信号に示される電力消費量の増加量に応じて、一部の電力消費機器における電力消費量が大きくなるように、当該電力消費機器の動作を制御することとなる。この場合にも、やはり送電事業者からインセンティブが支払われる。
【００４０】
電力制御装置１００は、機能的な制御ブロックとして、受信部１１０と、動作制御部１２０と、操作取得部１３０と、判定部１４０と、タッチパネル装置１５０と、を備えている。
【００４１】
受信部１１０は、空調装置１１等の電力消費機器や、外部サーバー３０との間で通信を行う際のインターフェースとなる部分である。先に述べた外部サーバー３０からの外部要求信号は、この受信部１１０によって受信される。
【００４２】
動作制御部１２０は、先に述べたデマンドレスポンス制御を実行する部分である。動作制御部１２０は、空調装置１１等の各電力消費機器の動作を制御してその電力消費量を調整することにより、建物ＨＭにおける電力消費量を外部要求信号に応じた値となるように変化させる。
【００４３】
例えば、空調装置１１による冷房が行われているときに、電力消費量を所定量だけ低減することを求めるような外部要求信号が送信された場合には、動作制御部１２０は、上記「所定量」に対応するような、冷房設定温度の上昇量を算出する。その後、当該上昇量の分だけ冷房設定温度を上げる処理を行う。このような態様に替えて、外部サーバー３０から送信される外部要求信号が、冷房設定温度の上昇量等を直接指示するような信号として送信されるような態様であってもよい。
【００４４】
操作取得部１３０は、電力消費機器の動作を変化させるために使用者が行った操作の内容、を取得する部分である。「電力消費機器の動作を変化させるために使用者が行った操作の内容」とは、空調装置１１の設定温度や照明装置１２の照度等を変更するために、使用者が手元のリモコンに対して行った操作である。操作取得部１３０によって取得される操作の内容のことを、以下では「操作情報」とも称する。
【００４５】
判定部１４０は、デマンドレスポンス制御を実行するか否かを判定する部分である。本実施形態では、外部サーバー３０から外部要求信号が送信された場合であっても、常に外部要求信号に応じたデマンドレスポン制御が実行されるとは限らない。デマンドレスポンス制御を実行しない、との判定が判定部１４０によってなされると、以降においてはデマンドレスポンス制御が実行されなくなる。判定部１４０は、操作取得部１３０によって取得される操作情報に基づいて上記判定を行う。その具体的な判定方法については後に説明する。
【００４６】
タッチパネル装置１５０は、使用者への情報提示を行ったり、使用者からの操作を受け付けたりする装置である。タッチパネル装置１５０は、電力制御装置１００の本体部分とは別体の装置として構成されており、本体部分との間で無線通信を行う。後に説明するように、電力制御装置１００は、タッチパネル装置１５０にデマンドレスポンス制御の開始時刻を表示することにより、デマンドレスポンス制御の実行を使用者に対して予告する。このようなタッチパネル装置１５０は、本実施形態における「予告部」に該当するものである。
【００４７】
尚、例えば空調装置１１の設定温度を変更するための操作等、電力消費機器の動作を調整するための操作の一部又は全部が、各電力消費機器のリモコン等ではなくこのタッチパネル装置１５０を介して行われるような態様であってもよい。この場合、先に述べた操作取得部１３０は、タッチパネル装置１５０から操作情報を取得することとなる。
【００４８】
デマンドレスポンス制御を行うに当たり、電力制御装置１００によって実行される処理の流れについて説明する。図２に示される一連の処理は、外部サーバー３０から外部要求信号が送信された際に、電力制御装置１００によって実行される処理である。
【００４９】
当該処理の最初のステップＳ０１では、受信部１１０によって外部要求信号を受信する処理が行われる。外部要求信号には、デマンドレスポンス制御の開始時刻、終了時刻、及び電力消費量の削減目標値が含まれる。
【００５０】
ステップＳ０１に続くステップＳ０２では、現在の時刻が予告時刻となったか否かが判定される。予告時刻とは、デマンドレスポンス制御の開始時刻を、タッチパネル装置１５０を介して使用者に予告する時刻として、予め設定された時刻である。予告時刻は、例えば開始時刻よりも所定時間だけ前の時刻（例えば１時間前）であってもよく、ステップＳ０１において外部要求信号が受信された直後の時刻であってもよい。現在の時刻が予告時刻よりも前であれば、ステップＳ０２の処理が繰り返し実行される。現在の時刻が予告時刻以降となっていればステップＳ０３に移行する。
【００５１】
ステップＳ０３では、デマンドレスポンス制御の開始時刻をタッチパネル装置１５０に表示し、使用者に対して予告する処理が行われる。これにより、使用者は、開始時刻においてデマンドレスポンス制御が開始されることを認識する。タッチパネル装置１５０には、例えば冷房設定温度を２℃上げる等、デマンドレスポンス制御の具体的な態様についても併せて表示される。
【００５２】
ステップＳ０３に続くステップＳ０４では、現在の時刻が開始時刻となったか否かが判定される。現在の時刻が開始時刻よりも前であれば、ステップＳ０４の処理が繰り返し実行される。現在の時刻が開始時刻以降となっていればステップＳ０５に移行する。
【００５３】
ステップＳ０５では、外部要求信号に応じてデマンドレスポンス制御を実行する処理が行われる。ここで行われる処理の具体的な内容については、後に図４を参照しながら説明する。
【００５４】
図２に示される一連の処理が実行されている期間（デマンドレスポンス制御の実行中の期間を含む）においても、電力消費機器の動作を変化させるための操作が使用者によってなされることがある。この場合、電力制御装置１００は図２に示される一連の処理と並行して、図３に示される処理を開始する。
【００５５】
当該処理の最初のステップＳ１１では、現在の時刻、すなわち使用者による操作が行われた時刻が、予告時刻よりも前であるか否かが判定される。操作が行われた時刻が予告時刻よりも前であればステップＳ１２に移行する。
【００５６】
ステップＳ１２に移行したということは、使用者は、後にデマンドレスポンス制御が実行されることを認識しない状態で電力消費機器の操作を行ったということである。従ってこの場合には、使用者がデマンドレスポンス制御を望んでいないことを、操作情報に基づいて推測することはできない。そこで、ステップＳ１２では、デマンドレスポンス制御を実行するとの判定が判定部１４０によってなされる。この場合、後に図２のステップＳ０５に移行した際に、予定通りデマンドレスポンス制御が開始される。
【００５７】
ステップＳ１２に続くステップＳ１３では、実行フラグの値として１が設定される。「実行フラグ」とは、電力制御装置１００の記憶装置に格納される変数であって、後に説明するように、デマンドレスポンス制御の態様を決定するためにその値が用いられるものである。尚、実行フラグは１又は２の値をとるのであるが、そのデフォルト値としては１が設定されている。
【００５８】
ステップＳ１１において、使用者による操作が行われた時刻が予告時刻以降であった場合には、ステップＳ１４に移行する。ステップＳ１４では、使用者による操作が行われた時刻が、開始時刻よりも前であるか否かが判定される。操作が行われた時刻が開始時刻よりも前であればステップＳ１５に移行する。
【００５９】
ステップＳ１５に移行したということは、使用者は、後にデマンドレスポンス制御が実行されることを認識している状態で、電力消費機器の操作を行ったということである。従って、例えば外部要求信号が電力消費量の低減を求めるようなものであった場合において、使用者が、空調装置１１の冷房設定温度を下げるような操作をその後に行った場合には、使用者はデマンドレスポンス制御を望んでいない、と推測できるようにも思われる。
【００６０】
しかしながら、使用者がデマンドレスポンス制御を望んでいる場合であっても、当該使用者が、開始時刻の前に（つまりデマンドレスポンス制御によって部屋の温度が上昇する前に）部屋の温度を予め下げておくことを目的として、空調装置１１の冷房設定温度を下げたという可能性も考えられる。
【００６１】
このように、ステップＳ１５に移行した場合であっても、使用者がデマンドレスポンス制御を望んでいないことを、操作情報に基づいて推測することは難しい。そこで、ステップＳ１５では、デマンドレスポンス制御を実行するとの判定が判定部１４０によってなされる。この場合も、後に図２のステップＳ０５に移行した際に、予定通りデマンドレスポンス制御が開始される。
【００６２】
ステップＳ１５に続くステップＳ１６では、実行フラグの値として２が設定される。その結果、ステップＳ１２に移行した場合とは別の態様でデマンドレスポンス制御が実行されるのであるが、これについては後に説明する。
【００６３】
ステップＳ１４において、使用者による操作が行われた時刻が開始時刻以降であった場合には、ステップＳ１７に移行する。この場合は、デマンドレスポンス制御の実行中において、使用者による電力消費機器の操作が行われたということである。ステップＳ１７では、外部要求信号に応じた場合における電力消費量の変化の傾向と、操作取得部１３０によって取得された操作に応じた場合における電力消費量の変化の傾向と、が互いに一致するか否かが判定される。ここでいう「変化の傾向」とは、「増加」又は「減少」のいずれかのことである。
【００６４】
例えば、外部要求信号が電力消費量の低減を求めるものであって、且つ、空調装置１１の冷房設定温度を上げるような操作が使用者によってなされていた場合には、上記におけるそれぞれの変化の傾向はいずれも「減少」で一致している。このように、外部要求信号に応じた場合における電力消費量の変化の傾向と、操作取得部１３０によって取得された操作に応じた場合における電力消費量の変化の傾向と、が互いに一致している場合には、使用者はデマンドレスポンス制御を望んでいると推測することができる。
【００６５】
従って、この場合にはステップＳ１８に移行し、デマンドレスポンス制御を実行するとの判定が判定部１４０によってなされる。それまで実行されていたデマンドレスポンス制御は、以降においてもそのまま継続される。
【００６６】
一方、外部要求信号に応じた場合における電力消費量の変化の傾向と、操作取得部１３０によって取得された操作に応じた場合における電力消費量の変化の傾向と、が互いに相反する場合も生じ得る。
【００６７】
例えば、上記の例において、空調装置１１の冷房設定温度を逆に下げるような操作が使用者によってなされていた場合には、外部要求信号に応じた場合における電力消費量の変化の傾向は「減少」であるのに対し、操作取得部１３０によって取得された操作に応じた場合における電力消費量の変化の傾向は「増加」となる。
【００６８】
このような場合には、使用者は、デマンドレスポンス制御が実行中であることを認識しながら、デマンドレスポンス制御に反するような操作を行ったのであるから、使用者はデマンドレスポンス制御を望んでいないと推測することができる。
【００６９】
従って、この場合にはステップＳ１９に移行し、デマンドレスポンス制御を実行しないとの判定が判定部１４０によってなされる。これに伴い、ステップＳ１９に続くステップＳ２０では、それまで実行されていたデマンドレスポンス制御を中断する処理が行われる。
【００７０】
デマンドレスポンス制御において実行される処理の具体的な内容について、図４を参照しながら説明する。図４に示されるフローチャートは、図２のステップＳ０５において実行される処理の具体的な流れを示すものである。
【００７１】
当該処理の最初のステップＳ３１では、判定部１４０によって先に行われた判定の結果が、「デマンドレスポンス制御を実行する」であったか否かが判定される。ここで、デマンドレスポンス制御を実行しないとの判定がなされていた場合には、デマンドレスポンス制御を開始することなく、図４に示される一連の処理を終了する。デマンドレスポンス制御を実行するとの判定がなされていた場合には、ステップＳ３２に移行する。
【００７２】
ステップＳ３２では、実行フラグの値が１であるか否かが判定される。実行フラグの値が１であればステップＳ３３に移行する。
【００７３】
ステップＳ３３では、電力消費機器の現在における動作状態（例えば冷房設定温度や照度等）をベースとして、デマンドレスポンス制御が開始される。具体的には、現在における電力消費機器の動作状態、からの変化が、外部要求信号に応じた変化となるように、デマンドレスポンス制御が実行される。
【００７４】
例えば、空調装置１１の冷房設定温度を２℃上げる程度、の電力消費量の低減を求める外部要求信号が送信されていた場合には、動作制御部１２０は、空調装置１１の冷房設定温度を、現在における冷房設定温度から２℃上げる処理を行う。具体的には、過去に使用者によって冷房設定温度が２６℃から２４度に変更されていたとしても、動作制御部１２０は、冷房設定温度を現在の２４℃から２℃上げて２６℃とする。
【００７５】
実行フラグが１に設定されているということは、予告時刻よりも前に使用者による操作が行われたか、もしくは使用者による操作が行わなかったということである。このため、デマンドレスポンス制御による電力消費量の低減が、使用者が行う操作によって意図的に無効化されてしまう可能性は無い。そこで、ステップＳ３３では、電力消費機器の現在における動作状態をベースとしてデマンドレスポンス制御を開始することとしている。
【００７６】
ステップＳ３２において、実行フラグの値が１ではなかった場合、すなわち実行フラグの値が２であった場合には、ステップＳ３４に移行する。ステップＳ３４では、使用者による操作が行われるよりも前における電力消費機器の動作状態（例えば冷房設定温度や照度等）をベースとして、デマンドレスポンス制御が開始される。具体的には、使用者による操作が行われる前における電力消費機器の動作状態、からの変化が、外部要求信号に応じた変化となるように、デマンドレスポンス制御が実行される。
【００７７】
例えば、空調装置１１の冷房設定温度を２℃上げる程度、の電力消費量の低減を求める外部要求信号が送信されていた場合であって、過去に使用者によって冷房設定温度が２６℃から２４℃に変更されていたような場合について説明する。この場合、動作制御部１２０は、空調装置１１の冷房設定温度を、現在の２４℃からではなく、操作前の２６℃から２℃上げる処理を行う。
【００７８】
実行フラグが２に設定されているということは、予告時刻よりも後であり且つ開始時刻よりも前に、使用者による操作が行われたということである。このため、上記の例において、空調装置１１の冷房設定温度を現在の（つまり操作後の）２４℃から２℃上げることとした場合には、デマンドレスポンス制御による電力消費量の低減が、使用者が行う操作によって意図的に無効化されてしまう可能性がある。そこで、ステップＳ３４では、電力消費機器の操作前における動作状態をベースとしてデマンドレスポンス制御を開始することとしている。
【００７９】
以上に説明したように、本実施形態に係る電力制御装置１００では、判定部１４０が、操作取得部１３０によって取得された操作の内容（つまり操作情報）に基づいて、デマンドレスポンス制御を実行するか否かを判定する。具体的には、外部要求信号に応じた場合における電力消費量の変化の傾向と、操作取得部１３０によって取得された操作に応じた場合における電力消費量の変化の傾向と、が互いに相反するものであった場合（図３のステップＳ１７における判定が「Ｎｏ」であった場合）には、判定部１４０は、デマンドレスポンス制御を実行しないと判定する。
【００８０】
このような電力制御装置１００では、空調装置１１の冷房設定温度を変化させるための操作等、使用者が通常行う操作に基づいて、デマンドレスポンス制御を実行するか否かの判断が自動的に行われるので、画面表示の確認や追加の操作等を使用者に対して行わせる必要が無い。このため、使用者に煩わしい思いをさせてしまうことが無い。
【００８１】
電力制御装置１００では、開始時刻よりも前のタイミングで、電力消費機器の動作を変化させるための操作が使用者により行われた場合（図３のステップＳ１２又はステップＳ１５に移行した場合）には、判定部１４０は、デマンドレスポンス制御を実行すると判定する。これにより、使用者がデマンドレスポンス制御を望んでいるにもかかわらず、デマンドレスポンス制御を行わないとの判定が誤ってなされてしまうような事態が防止される。
【００８２】
更に電力制御装置１００では、タッチパネル装置１５０（予告部）による予告が行われた後であり、且つ、開始時刻よりも前のタイミングで、電力消費機器の動作を変化させるための操作が使用者により行われた場合（図３のステップＳ１５に移行した場合）には、動作制御部１２０は、使用者による操作が行われる前における電力消費機器の動作状態、からの変化が、外部要求信号に応じた変化となるように、デマンドレスポンス制御を実行する（図４のステップＳ３４）。これにより、デマンドレスポンス制御による電力消費量の低減が、使用者が行う操作によって意図的に無効化されてしまうような事態を防止することができる。
【００８３】
電力制御装置１００では、デマンドレスポンス制御の実行中において、デマンドレスポンス制御を実行しないとの判定が判定部１４０によってなされた場合（図３のステップＳ１９に移行した場合）には、動作制御部１２０はデマンドレスポンス制御を中断する。これにより、使用者の意思に反してデマンドレスポンス制御が行われてしまうような事態が防止される。
【００８４】
以上、具体例を参照しつつ本実施形態について説明した。しかし、本開示はこれらの具体例に限定されるものではない。これら具体例に、当業者が適宜設計変更を加えたものも、本開示の特徴を備えている限り、本開示の範囲に包含される。前述した各具体例が備える各要素およびその配置、条件、形状などは、例示したものに限定されるわけではなく適宜変更することができる。前述した各具体例が備える各要素は、技術的な矛盾が生じない限り、適宜組み合わせを変えることができる。
【符号の説明】
【００８５】
ＨＭ：建物
１１：空調装置
１２：照明装置
１３：給湯装置
１４：蓄電装置
３０：外部サーバー
１００：電力制御装置
１１０：受信部
１２０：動作制御部
１３０：操作取得部
１４０：判定部
【図１】
2019126230.tif 000003
【図２】
2019126230.tif 000004
【図３】
2019126230.tif 000005
【図４】
2019126230.tif 000006